(57)【要約】【課題】  分配出力の信号損失が軽減されて安定した特性を得ることができ、部品点数を削減して、チューナと分配器の配線を簡素化し、コストを削減する。【解決手段】  分配器は、第１のアンテナからの第１の受信信号を第１の入力信号として入力する第１の入力端子と、第２のアンテナからの第２の受信信号を第２の入力信号として入力する第２の入力端子と、第１の入力信号を第１及び第２の分配信号に分配する第１の分配回路と、第２の入力信号を第３及び第４の分配信号に分配する第２の分配回路と、第１乃至第４の分配信号をそれぞれ第１乃至第４の出力信号として出力する第１乃至第４の出力端子とを有する。第１乃至第４の出力端子は、同一構成の第１及び第２のチューナの入力端子と直接接続可能なように配置されている。【選択図】      図１
2008109620.tif 000002
【特許請求の範囲】
【請求項１】
第１のアンテナからの第１の受信信号を第１の入力信号として入力する第１の入力端子と、
第２のアンテナからの第２の受信信号を第２の入力信号として入力する第２の入力端子と、
前記第１の入力信号を第１及び第２の分配信号に分配する第１の分配回路と、
前記第２の入力信号を第３及び第４の分配信号に分配する第２の分配回路と、
前記第１乃至第４の分配信号をそれぞれ第１乃至第４の出力信号として出力する第１乃至第４の出力端子と、を有し、
前記第１乃至第４の出力端子は、同一構成の第１及び第２のチューナの入力端子と直接接続可能なように配置されていることを特徴とする分配器。
【請求項２】
前記第３の出力端子は、前記第１の出力端子と前記第２の出力端子との間に配置され、
前記第２の出力端子は、前記第３の出力端子と前記第４の出力端子との間に配置されることを特徴とする請求項１に記載の分配器。
【請求項３】
前記第１の受信信号はＢＳ／ＣＳ放送信号であり、前記第２の受信信号は地上波ディジタル放送信号である、請求項１又は２に記載の分配器。
【請求項４】
前記第１の分配回路は、
前記第１の入力信号から１ＧＨｚ以下の周波数成分を除去して、第１のハイパスフィルタされた信号を出力する第１のハイパスフィルタと、
前記第１のハイパスフィルタされた信号を増幅して、第１の増幅信号を出力する第１の増幅回路と、
前記第１の増幅信号から直流電圧成分を除去して、第１の直流成分カット信号を出力する第１の直流成分カット手段と、
前記第１の直流成分カット信号を第１及び第２の原分配信号に分配する第１の分配用バランと、
前記第１の原分配信号から１ＧＨｚ以下の周波数成分を除去して、第２のハイパスフィルタされた信号を前記第１の分配信号として前記第１の出力端子へ送出する第２のハイパスフィルタと、
前記第２の原分配信号から１ＧＨｚ以下の周波数成分を除去して、第３のハイパスフィルタされた信号を前記第２の分配信号として前記第２の出力端子へ送出する第３のハイパスフィルタと、から構成され、
前記第２の分配回路は、
前記第２の入力信号から９０ＭＨｚ以下の周波数成分を除去して、第４のハイパスフィルタされた信号を出力する第４のハイパスフィルタと、
前記第４のハイパスフィルタされた信号を増幅して、第２の増幅信号を出力する第２の増幅回路と、
前記第２の増幅信号から直流電圧成分を除去して、第２の直流成分カット信号を出力する第２の直流成分カット手段と、
前記第２の直流成分カット信号から７７０ＭＨｚ以上の周波数成分を除去して、ローパスフィルタされた信号を出力するローパスフィルタと、
前記ローパスフィルタされた信号をインピーダンス変換して、インピーダンス変換した信号を出力するインピーダンス変換用バランと、
前記インピーダンス変換した信号を第３及び第４の原分配信号に分配する第２の分配用バランと、
前記第３の原分配信号から９０ＭＨｚ以下の周波数成分を除去して、第５のハイパスフィルタされた信号を前記第３の分配信号として前記第３の出力端子へ送出する第５のハイパスフィルタと、
前記第４の原分配信号から９０ＭＨｚ以下の周波数成分を除去して、第６のハイパスフィルタされた信号を前記第４の分配信号として前記第４の出力端子へ送出する第６のハイパスフィルタと、から構成される
ことを特徴とする請求項３に記載の分配器。
【請求項５】
前記第１の分配回路は、前記第１の入力信号を前記第１及び第２の分配信号と更に第５の分配信号とに分配するものであり、
前記第２の分配回路は、前記第２の入力信号を前記第３及び第４の分配信号と更に第６及び第７の分配信号とに分配するものであり、
前記分配器は、前記第５乃至第７の分配信号をそれぞれ第５乃至第７の出力信号として出力する第５乃至第７の出力端子を更に有することを特徴とする請求項１に記載の分配器。
【請求項６】
前記第１の出力端子は、前記第３の出力端子と前記第４の出力端子との間に配置され、
前記第４の出力端子は、前記第１の出力端子と前記第２の出力端子との間に破位置されことを特徴とする請求項５に記載の分配器。
【請求項７】
前記第６の出力端子は、前記分配器の筐体の端に配置されていることを特徴とする請求項６に記載の分配器。
【請求項８】
前記第５の出力端子は、前記第１の入力端子と前記第２の入力端子との間に配置され、
前記第２の入力端子は、前記第５の出力端子と前記第７の出力端子との間に配置されていることを特徴とする請求項６又は７に記載の分配器。
【請求項９】
前記第１の受信信号はＢＳ／ＣＳ放送信号であり、前記第２の受信信号は地上波ディジタル放送信号である、請求項５乃至７のいずれか１つに記載の分配器。
【請求項１０】
前記第１の分配回路は、
前記第１の入力信号から１ＧＨｚ以下の周波数成分を除去して、第１のハイパスフィルタされた信号を出力する第１のハイパスフィルタと、
前記第１のハイパスフィルタされた信号を増幅して、第１の増幅信号を出力する第１の増幅回路と、
前記第１の増幅信号から直流電圧成分を除去して、第１の直流成分カット信号を出力する第１の直流成分カット手段と、
前記第１の直流成分カット信号を第１及び第２の原主分配信号に分配する第１の主分配用バランと、
前記第２の原主分配信号を第１及び第２の原副分配信号に分配する第１の副分配用バランと、
前記第１の原副分配信号から１ＧＨｚ以下の周波数成分を除去して、第２のハイパスフィルタされた信号を前記第１の分配信号として前記第１の出力端子へ送出する第２のハイパスフィルタと、
前記第２の原副分配信号から１ＧＨｚ以下の周波数成分を除去して、第３のハイパスフィルタされた信号を前記第２の分配信号として前記第２の出力端子へ送出する第３のハイパスフィルタと、を有し
前記第２の分配回路は、
前記第２の入力信号から９０ＭＨｚ以下の周波数成分を除去して、第４のハイパスフィルタされた信号を出力する第４のハイパスフィルタと、
前記第４のハイパスフィルタされた信号を増幅して、第２の増幅信号を出力する第２の増幅回路と、
前記第２の増幅信号から直流電圧成分を除去して、第２の直流成分カット信号を出力する第２の直流成分カット手段と、
前記第２の直流成分カット信号から７７０ＭＨｚ以上の周波数成分を除去して、ローパスフィルタされた信号を出力するローパスフィルタと、
前記ローパスフィルタされた信号をインピーダンス変換して、インピーダンス変換した信号を出力するインピーダンス変換用バランと、
前記インピーダンス変換した信号を第３及び第４の原分配信号に分配する第２の分配用バランと、
前記第３の原分配信号を第３及び第４の原副分配信号に分配する第３の分配用バランと、
前記第３の原副分配信号から９０ＭＨｚ以下の周波数成分を除去して、第５のハイパスフィルタされた信号を前記第３の分配信号として前記第３の出力端子へ送出する第５のハイパスフィルタと、
前記第４の原副分配信号から９０ＭＨｚ以下の周波数成分を除去して、第６のハイパスフィルタされた信号を前記第４の分配信号として前記第４の出力端子へ送出する第６のハイパスフィルタと、を有し、
前記第１の分配回路は、前記第１の原主分配信号から１ＧＨｚ以下の周波数成分を除去して、第７のハイバスフィルタされた信号を前記第５の分配信号として前記第５の出力端子へ送出する第７のハイパスフィルタを更に有し、
前記第２の分配回路は、
前記第４の原分配信号を第５及び第６の原副分配信号に分配する第４の分配用バランと、
前記第５の原副分配信号から９０ＭＨｚ以下の周波数成分を除去して、第８のハイパスフィルタされた信号を前記第６の分配信号として前記第６の出力端子へ送出する第８のハイパスフィルタと、
前記第６の原副分配信号から９０ＭＨｚ以下の周波数成分を除去して、第９のハイパスフィルタされた信号を前記第７の分配信号として前記第７の出力端子へ送出する第９のハイパスフィルタと、を更に有する
ことを特徴とする請求項９に記載の分配器。
【発明の詳細な説明】
【技術分野】
【０００１】
本発明は、分配器に係り、特に、放送衛星（ＢＳ：broadcasting satellite）を利用した放送、通信衛星（ＣＳ：communication satellite）を利用した放送等の衛星放送の信号と地上波ディジタル放送の信号とを分配するために用いられる分配器に関する。
【背景技術】
【０００２】
現在、地上波ディジタル放送、ＢＳによる衛星放送やＣＳによる衛星放送などの衛星放送が実現されている。図５に、それらの放送を視聴するＴＶ放送受信システムを示す。図示のＴＶ放送受信システムは、ＢＳ／ＣＳアンテナ１と、ＵＨＦアンテナ２と、低雑音コンバータ３と、第１及び第２の同軸ケーブル４−１、４−２と、ＴＶ受信機５とを備える。
【０００３】
ＢＳ／ＣＳアンテナ１で衛星放送の信号が受信される。各々のアンテナの直近に低雑音コンバータ３が取り付けられている。低雑音コンバータ３とＴＶ受信機５との間に第１の同軸ケーブル４−１が配線されている。従って、この第１の同軸ケーブル４−１によって、低雑音コンバータ３からの信号が、屋外から室内のＴＶ受信機５まで伝送される。
【０００４】
また、地上波ディジタル放送の信号はＵＨＦアンテナ２で受信される。ＵＨＦアンテナ２とＴＶ受信機５との間に第２の同軸ケーブル４−２が配線されている。従って、ＵＨＦアンテナ２で受信された信号は、同軸ケーブル４−２を介して、屋外から室内のＴＶ受信機５まで伝送される。
【０００５】
図６を参照して、ＴＶ受信機５は、第１及び第２のＢＳ／ＣＳ／地上波ディジタル放送用チューナ（以下、単に「チューナ」と呼ぶ）６，７を内蔵している。第１のチューナ６は、ＢＳ／ＣＳ放送信号が入力される第１のＢＳ／ＣＳ用入力端子１０１と、地上波ディジタル放送信号が入力される第１の地上波放送用入力端子１１１とを有する。第１のチューナ６は、第１のＢＳ／ＣＳ用入力端子１０１および第１の地上波放送用入力端子１１１にそれぞれ入力される信号を検波し、復調して、第１の復調信号を第１の出力端子１２１からＴＶ受信機５の回路基板へ出力する。
【０００６】
同様に、第２のチューナ７は、ＢＳ／ＣＳ放送信号が入力される第２のＢＳ／ＣＳ用入力端子１０２と、地上波ディジタル放送信号が入力される第２の地上波放送用入力端子１１２とを有する。第２のチューナ７は、第２のＢＳ／ＣＳ用入力端子１０２および第２の地上波放送用入力端子１１２にそれぞれ入力される信号を検波し、復調して、第２の復調信号を第２の出力端子１２２からＴＶ受信機５の回路基板へ出力する。
【０００７】
ＴＶ受信機５は、第１及び第２の分配器８、９と、第１及び第２の同軸ケーブル１３１、１３２とから成る分配装置を更に備える。第１の分配器８は、１つの入力端子８１と、一対の出力端子８２、８２とを持つ。同様に、第２の分配器９も、１つの入力端子９１と、一対の出力端子９２、９２とを持つ。
【０００８】
ＢＳ／ＣＳアンテナ１で受信されたＢＳ／ＣＳ放送信号（第１の受信信号）は、低雑音コンバータ３及び第１の同軸ケーブル４−１を介して、第１の分配器８の入力端子８１に第１の入力信号として入力される。第１の分配器８は、第１の入力信号を第１及び第２の分配信号に分配する。第１及び第２の分配信号は、第１の分配器８の一対の出力端子８２から第１及び第２の出力信号として出力される。一対の出力端子８２の一方は、直接、第１のチューナ６の第１のＢＳ／ＣＳ入力端子１０１に接続され、一対の出力端子８２の他方は、第１の同軸ケーブル１３１を介して、第２のチューナ７の第２のＢＳ／ＣＳ入力端子１０２に接続されている。すなわち、一対の出力端子８２の一方から出力される第１の出力信号は、直接、第１のチューナ６の第１のＢＳ／ＣＳ入力端子１０１に供給される。一対の出力端子８２の他方から出力される第２の出力信号は、第１の同軸ケーブル１３１を介して、第２のチューナ７の第２のＢＳ／ＣＳ入力端子１０２に供給される。
【０００９】
また、ＵＨＦアンテナ２で受信された地上波ディジタル放送信号（第２の受信信号）は、第２の同軸ケーブル４−２を介して、第２の分配器９の入力端子９１に第２の入力信号として入力される。第２の分配器９は、第２の入力信号を第３及び第４の分配信号に分配する。第３及び第４の分配信号は、第２の分配器９の一対の出力端子９２から第３及び第４の出力信号として出力される。一対の出力端子９２の一方は、直接、第１のチューナ６の第１の地上波ディジタル用入力端子１１１に接続され、一対の出力端子９２の他方は、第２の同軸ケーブル１３２を介して、第２のチューナ７の第２の地上波ディジタル用入力端子１１２に接続されている。すなわち、一対の出力端子９２の一方から出力される第３の出力信号は、直接、第１のチューナ６の第１の地上波ディジタル用入力端子１１１に供給される。一対の出力端子９２の他方から出力される第４の出力信号は、第２の同軸ケーブル１３２を介して、第２のチューナ７の第２の地上波ディジタル用入力端子１１２に供給される。
【００１０】
【特許文献１】特開平９−２７５５１３号公報
【発明の開示】
【発明が解決しようとする課題】
【００１１】
上記の分配装置の構成では、ＢＳ／ＣＳ放送信号を分配する第１の分配器８と地上波ディジタル放送信号を分配する第２の分配器９との２つの分配器を使用し、第１及び第２の分配器８、９の出力端子８２、９２のそれぞれに第１及び第２のチューナ６、７を接続して、第１及び第２のチューナ６、７へ第１乃至第４の出力信号を出力するようにしていたため、部品点数が多くなり、配線が複雑化していた。また、第１及び第２の同軸ケーブル１３１、１３２を使用して、第１及び第２の分配器８、９の一対の出力端子８２、９２の他方と第２のチューナ７とを接続しているため、第１及び第２の分配器８、９から出力される、第２及び第４の出力信号が第２のチューナ７に入力（供給）されるまでの間に利得損失が発生し特性劣化に繋がっていた。
【００１２】
したがって、本発明の課題は、分配出力の信号損失が軽減されて安定した特性を得ることができる、分配器を提供することにある。
【００１３】
本発明の他の課題は、部品点数を削減できる、分配器を提供することにある。
【００１４】
本発明の更に他の課題は、チューナと分配器との間の配線を簡素化できる、分配器を提供することにある。
【００１５】
本発明のもっと他の課題は、コストを削減することができる、分配器を提供することにある。
【課題を解決するための手段】
【００１６】
本発明による分配器（２０；２０Ａ）は、第１のアンテナ（１）からの第１の受信信号を第１の入力信号として入力する第１の入力端子（２０１）と、第２のアンテナ（２）からの第２の受信信号を第２の入力信号として入力する第２の入力端子（２０２）と、前記第１の受信信号を第１及び第２の分配信号に分配する第１の分配回路（３０；３０Ａ）と、前記第２の受信信号を第３及び第４の分配信号に分配する第２の分配回路（４０；４０Ａ）と、前記第１乃至第４の分配信号をそれぞれ第１乃至第４の出力信号として出力する第１乃至第４の出力端子（２１１〜２１４）と、を有し、前記第１乃至第４の出力端子（２１１〜２１４）は、同一構成の第１及び第２のチューナ（６、７）の入力端子（１０１、１１１、１０２、１１２）と直接接続可能なように配置されていることを特徴とする。
【００１７】
上記本発明による分配器（２０；２０Ａ）において、第３の出力端子（２１３）は、第１の出力端子（２１１）と第２の出力端子（２１２）との間に配置され、第２の出力端子（２１２）は、第３の出力端子（２１３）と第４の出力端子（２１４）との間に配置されて良い。
【００１８】
尚、上記括弧内の符号は、本発明の理解を容易にするために付したものであり、一例にすぎず、これらに限定されないのは勿論である。
【発明の効果】
【００１９】
本発明によれば、ＢＳ／ＣＳ放送用の第１の分配回路と地上波ディジタル放送用の第２の分配回路とを一体として、ＢＳ／ＣＳ放送用の第１及び第２の出力端子と地上波ディジタル用の第３及び第４の出力端子を交互に配置したことにより、分配器に対して第１及び第２のチューナを直接接続することができるため、従来必要であった第１及び第２の同軸ケーブルが不要となる。これによって、信号損失が軽減されて安定した特性を得ることができ、部品点数を削減することができて安価にでき、チューナと分配器との間の配線を簡素化できるものである。
【発明を実施するための最良の形態】
【００２０】
以下、図面を参照して、本発明の実施の形態について詳細に説明する。
【００２１】
図１は本発明の第１の実施形態に係る分配器２０の概略構成を、第１及び第２のチューナ６、７と接続した状態で示す図であり、図２は図１の分配器２０のブロック図である。本発明に適用されるＴＶ放送受信システムは、上述した図５に示す構成と同じであるので、ここでの説明を省略する。
【００２２】
図１に示すように分配器２０は、ＢＳ／ＣＳアンテナ（第１のアンテナ）１で受信したＢＳ／ＣＳ放送信号（第１の受信信号）を第１の入力信号として入力する第１の入力端子２０１と、ＵＨＳアンテナ（第２のアンテナ）２で受信した地上波ディジタル放送信号（第２の受信信号）を第２の入力信号として入力する第２の入力端子２０２と、第１の入力信号を第１及び第２の分配信号に分配する第１の分配回路３０と、第２の入力信号を第３及び第４の分配信号に分配する第２の分配回路４０と、第１乃至第４の分配信号をそれぞれ第１乃至第４の出力信号として出力する第１乃至第４の出力端子２１１、２１２、２１３、および２１４とを備えている。
【００２３】
すなわち、第１の出力端子２１１は、第１の分配回路３０によって分配されたＢＳ／ＣＳ放送信号の一方（第１の分配信号）を第１の出力信号として出力する。第２の出力端子２１２は、第１の分配回路３０によって分配されたＢＳ／ＣＳ放送信号の他方（第２の分配信号）を第２の出力信号として出力する。第３の出力端子２１３は、第２の分配回路４０によって分配された地上波ディジタル放送信号の一方（第３の分配信号）を第３の出力信号として出力する。第４の出力端子２１４は、第２の分配回路４０によって分配された地上波ディジタル放送信号の他方（第４の分配信号）を第４の出力信号として出力する。
【００２４】
図１に示すように、第１乃至第４の出力端子２１１〜２１４は、ＢＳ／ＣＳ放送信号と地上波ディジタル放送信号とが交互に出力されるように配置されている。
【００２５】
分配器２０の第１の出力端子２１１からはＢＳ／ＣＳ放送信号（第１の分配信号）が第１の出力信号として出力され、第３の出力端子２１３からは地上波ディジタル放送信号（第３の分配信号）が第３の出力信号として出力される。第１のチューナ６の第１のＢＳ／ＣＳ用入力端子１０１が分配器２０の第１の出力端子に直接接続され、第１のチューナ６の第１の地上波ディジタル用入力端子１１１が分配器２０の第３の出力端子２１３に直接接続されている。
【００２６】
また、分配器２０の第２の出力端子２１２からはＢＳ／ＣＳ放送信号（第２の分配信号）が第２の出力信号として出力され、第４の出力端子２１４からは地上波ディジタル放送信号（第４の分配信号）が第４の出力信号として出力される。第２のチューナ７の第２のＢＳ／ＣＳ用入力端子１０２が分配器２０の第２の出力端子２１２に直接接続され、第２のチューナ７の第２の地上波ディジタル用入力端子１１２が分配器２０の第４の出力端子２１４に直接接続されている。
【００２７】
これにより、第１の分配回路３０と第２の分配回路４０から出力される第１乃至第４の分配信号が第１乃至第４の出力信号として第１及び第２のチューナ６、７に直接入力される。換言すれば、分配器２０の第１乃至第４の出力端子２１１〜２１４は、同一構成の第１及び第２のチューナ６、７の入力端子１０１、１１１、１０２、１１２と直接接続可能なように配置されている。
【００２８】
図２を参照して、本発明の第１の実施の形態に係る分配器２０を構成する第１及び第２の分配回路３０、４０の構成について説明する。
【００２９】
最初に、第１の分配回路３０の構成について説明する。第１の分配回路３０は、第１のハイパスフィルタ３１と、第１の増幅回路３２と、第１のコンデンサ３３と、第１の分配用バラン３４と、第２のハイパスフィルタ３５と、第３のハイパスフィルタ３６とを備えている。
【００３０】
第１のハイパスフィルタ３１は、第１の入力端子２０１からの第１の入力信号から１ＧＨｚ以下の周波数成分を除去して、第１のハイパスフィルタされた信号を出力する。第１の増幅回路３２は、第１のハイパスフィルタされた信号を増幅して、第１の増幅信号を出力する。第１のコンデンサ３３は、第１の増幅信号から直流電圧成分をカットして、第１の直流成分カット信号を出力する。第１の分配用バラン３４は、第１の直流成分カット信号を第１及び第２の原分配信号に分配する。第２のハイパスフィルタ３６は、第１の原分配信号から１ＧＨｚ以下の周波数成分を除去して、第２のハイパスフィルタされた信号を上記第１の分配信号として第１の出力端子２１１へ送出する。第３のハイパスフィルタ３６は、第２の原分配信号から１ＧＨｚ以下の周波数成分を除去して、第３のハイパス信号を上記第２の分配信号として第２の出力端子２１２へ送出する。
【００３１】
次に、第２の分配回路４０の構成について説明する。第２の分配回路４０は、第４のハイパスフィルタ４１と、第２の増幅回路４２と、第２のコンデンサ４７と、ローパスフィルタ４３と、インピーダンス変換用バラン４４１と、第２の分配用バラン４４２と、第５のハイパスフィルタ４５と、第６のハイパスフィルタ４６とを備えている。
【００３２】
第４のハイパスフィルタ４１は、第２の入力端子２０２からの第２の入力信号から９０ＭＨｚ以下の周波数成分を除去して、第４のハイパスフィルタされた信号を出力する。第２の増幅回路４２は、第４のハイパスフィルタされた信号を増幅して、第２の増幅信号を出力する。第２のコンデンサ３３は、第２の増幅信号から直流電圧成分をカットして、第２の直流成分カット信号を出力する。ローパスフィルタ４３は、第２の直流成分カット信号から７７０ＭＨｚ以上の周波数成分を除去して、ローパスフィルタされた信号を出力する。インピーダンス変換用バラン４４１は、ローパスフィルタされた信号をインピーダンス変換して、インピーダンス変換した信号を出力する。第２の分配用バラン４４２は、インピーダンス変換した信号を第３及び第４の原分配信号に分配する。第５のハイパスフィルタ４５は、第３の原分配信号から９０ＭＨｚ以下の周波数成分を除去して、第５のハイパスフィルタ信号を上記第３の分配信号として第３の出力端子２１３へ送出する。第６のハイパスフィルタ４６は、第４の原分配信号から９０ＭＨｚ以下の周波数成分を除去して、第６のハイパスフィルタされた信号を上記第４の分配信号として第４の出力端子２１４へ送出する。
【００３３】
また、ＴＶ受信機５（図５）内の図示しない回路基板から第１及び第２の分配回路３０、４０へ電源＋Ｂが供給されている。この電源＋Ｂは第１及び第２の電源回路３２、４２の駆動電源として各々に供給される。また、第１の分配回路３０の第１の入力端子２１０と第１のハイパスフィルタ３１との間に、コイルＬ１とコンデンサＣ１とから成る直列回路が接続されている。コイルＬ１とコンデンサＣ１との間に低雑音コンバータ３（図５）用の電源供給端子ＬＮＢが接続されている。電源供給端子ＬＮＢにはＴＶ受信機５から電源電圧が供給され、この供給された電源電圧は、第１の入力端子２０１から低雑音コンバータ３へ駆動電源電圧として供給される。
【００３４】
次に、図２に示した分配器２０の動作について説明する。最初に、ＢＳ／ＣＳアンテナ（第１のアンテナ）１からＢＳ／ＣＳ放送信号（第１の受信信号）が第１の入力端子２０１に第１の入力信号として入力された場合の動作について説明する。第１の入力端子２０１に入力された第１の入力信号は、第１のハイパスフィルタ３１によってノイズ成分が除去され、第１のハイパスフィルタ３１から第１のハイパスフィルタされた信号として第１の増幅回路３２に供給される。第１のハイパスフィルタされた信号は第１の増幅回路３２によって適宜増幅され、第１の増幅回路３２から第１の増幅信号が出力される。第１の増幅信号は、コンデンサ３３によって直流電圧成分がカットされた後、第１の直流成分カット信号として第１の分配用バラン３４に供給される。第１の直流成分カット信号は、第１の分配用バラン３４によって第１及び第２の原分配信号に分配される。第１の原分配信号は、第２のハイパスフィルタ３５によってノイズ成分が除去されて第２のハイバスフィルタされた信号になる。この第２のハイパスフィルタされた信号は第１の分配信号として第１の出力端子２１１へ送出される。第１の出力端子２１１からの第１の出力信号は、この第１の出力端子２１１に直接接続された第１のチューナ６の第１のＢＳ／ＣＳ用入力端子１０１に供給される。また、第２の原分配信号は、第３のハイバスフィルタ３６によってノイズ成分が除去されて第３のハイパスフィルタされた信号になる。この第３のハイパスフィルタされた信号は第２の分配信号として第２の出力端子２１２へ送出される。第２の出力端子２１２からの第２の出力信号は、この第２の出力端子２１２に直接接続された第２のチューナ７の第２のＢＳ／ＣＳ用入力端子１０２に供給される。
【００３５】
次に、ＵＨＦアンテナ（第２のアンテナ）２から地上波ディジタル放送信号が第２の入力端子２０２に第２の入力信号として入力された場合の動作について説明する。第２の入力端子２０２に入力された第２の入力信号は、第４のハイパスフィルタ４１によってノイズ成分が除去され、第４のハイパスフィルタ４１から第４のハイパスフィルタされた信号が第２の増幅回路４２に供給される。第４のハイパスフィルタされた信号は、第２の増幅回路４２によって適宜増幅され、第２の増幅回路４２から第２の増幅信号が出力される。第２の増幅信号は、第２のコンデンサ４７によって直流電圧成分がカットされた後、第２の直流成分カット信号としてローパスフィルタ４３として供給される。第２の直流成分カット信号は、ローパスフィルタ４３によってノイズ成分が除去されて、ローパスフィルタ４３からローパスフィルタされた信号が出力される。ローパスフィルタされた信号は、インピーダンス変換バラン４４１によってインピーダンスマッチングがとれた後、インピーダンス変換した信号として第２の分配用バラン４４２に供給される。インピーダンス変換した信号は、第２の分配用バラン４４２によって第３及び第４の原分配信号に分配される。第３の原分配信号は、第５のハイパスフィルタ４５によってノイズ成分が除去されて第５のハイパスフィルタされた信号になる。第５のハイパスフィルタされた信号は、第３の分配信号として第３の出力端子２１３へ送出される。第３の出力端子２１３からの第３の出力信号は、この第３の出力端子２１３に直接接続された第１のチューナ６の第１の地上ディジタル放送用入力端子１１１に供給される。また、第４の原分配信号は、第６のハイパスフィルタ４６によってノイズ成分が除去されて第６のハイパスフィルタされた信号になる。第６のハイパスフィルタされた信号は、第４の分配信号として第４の出力端子２１４へ送出される。第４の出力端子２１４からの第４の出力信号は、この第４の出力端子２１４に直接接続された第２のチューナ７の第２の地上ディジタル放送用入力端子１１２に供給される。
【００３６】
以上のように、本発明の第１の実施形態によれば、ＢＳ／ＣＳ放送用の第１の分配回路３０と地上波ディジタル放送用の第２の分配回路４０とを一体化して、ＢＳ／ＣＳ放送用の第１及び第２の出力端子２１１、２１２と地上波ディジタル放送用の第３及び第４の出力端子２１３、２１４とを交互に配置したことにより、分配器２０に対して第１及び第２のチューナ６、７を直接接続することができる。これにより、従来の分配装置において必要であった、分配器８、９と第２のチューナ７とを接続する第１及び第２の同軸ケーブル１３１、１３２が不要となる。これによって、信号損失が軽減されて安定した特性を得ることができる。部品点数を削減することができて分配器２０を安価にできる。チューナ６、７と分配器２０との間の配線を簡素化できる。
【００３７】
図３および図４を参照して、本発明の第２の実施形態に係る分配器２０Ａについて説明する。図３は本発明の第２の実施形態に係る分配器２０Ａの概略構成を示す図であり、図４は図３の分配器２０Ａのブロック図である。
【００３８】
図示の分配器２０Ａは、第５乃至第７の出力端子２１５、２１６、および２１７が付加されると共に、第１及び第２の分配回路が後述するように変更されている点を除いて、図１および図２に示した分配器２０と同様の構成を有する。従って、第１及び第２の分配回路に、それぞれ、３０Ａ、４０Ａの参照符号を付してある。以下では、図１および図２の構成要素と同一の機能を有する構成要素には同一の参照符号を付して、相違点についてのみ説明する。
【００３９】
第１の分配回路３０Ａは、第１の入力端子２０１から入力された第１の入力信号を後述するように第１、第２および第５の分配信号に分配する回路である。第５の出力端子２１５は、第５の分配信号を第５の出力信号として出力する。一方、第２の分配回路４０Ａは、第２の入力端子２０２から入力された第２の入力信号を後述するように第３、第４、第６および第７の分配信号に分配する回路である。第６の出力端子２１６は、第６の分配信号を第６の出力信号として出力する。第７の出力端子２１７は、第７の分配信号を第７の出力信号として出力する。
【００４０】
図３に示すように、図１に図示した分配器２０の場合と同様に、第１乃至第４の出力端子２１１〜２１４は、ＢＳ／ＣＳ放送信号と地上波ディジタル放送信号とが交互に出力されるように配置されている。第５の出力端子２１５は、ＢＳ／ＣＳ放送信号を出力するための端子であって、第１の入力端子２０１と第２の入力端子２０２との間に配置されている。第６の出力端子２１６は、地上波アナログ出力端子として働き、分配器２０Ａのケース（筐体）２００の端に配置されている。第７の出力端子２１７は、地上波ディジタル放送信号を出力するための端子であって、第２の入力端子２０２の近傍に配置されている。換言すれば、第２の入力端子２０２は、第５の出力端子２１５と第７の出力端子２１７との間に配置されている。
【００４１】
図４を参照して、分配器２０Ａを構成する第１及び第２の分配回路３０Ａ、４０Ａの構成について説明する。最初に、第１の分配回路３０Ａの構成について説明する。
【００４２】
第１の分配回路３０Ａは、第１の分配用バランが後述するように変更されていると共に、第７のハイパルフィルタ３７を更に備えている点を除いて、第1の分配回路３０と同様の構成を有し、同様の動作をする。したがって、第１の分配用バランに３４Ａの参照符号を付してある。
【００４３】
第１の分配用バラン３４Ａは、第１の主分配用バラン３４１と第１の副分配用バラン３４２とから構成されている。第１の主分配用バラン３４１は、第１のコンデンサ３３からの第１の直流成分カット信号を第１及び第２の原主分配信号に分配する。第１の原主分配信号は第７のハイパスフィルタ３７に供給され、第２の原主分配信号は第１の副分配用バラン３４２に供給される。第７のハイパスフィルタ３７は、第１の原主分配信号から１ＧＨｚ以下の周波数成分を除去して、第７のハイパスフィルタされた信号を第５の分配信号として第５の出力端子２１５へ送出する。第５の出力端子２１５は、この第５の分配信号を第５の出力信号として出力する。
【００４４】
一方、第１の副分配用バラン３４２は、第２の原主分配信号を第１及び第２の原副分配信号に分配する。第１の原副分配信号は第２のハイパスフィルタ３５に供給され、第２の原副分配信号は第３のハイパスフィルタ３６に供給される。第２のハイパスフィルタ３５は、第１の原副分配信号から１ＧＨｚ以下の周波数成分を除去して、第２のハイパルフィルタされた信号を第２の分配信号として第１の出力端子２１１へ送出する。第３のハイパスフィルタ３６は、第２の原副分配信号から１ＧＨｚ以下の周波数成分を除去して、第３のハイパスフィルタされた信号を第３の分配信号として第２の出力端子２１２へ送出する。
【００４５】
次に、第２の分配回路４０Ａの構成について説明する。第２の分配回路４０Ａは、第３及び第４の分配用バラン４４３、４４４が追加されている共に、第８及び第９のハイパスフィルタ４８、４９を更に備えている点を除いて、図２に示した第２の分配回路４０と同様の構成を有し、同様の動作をする。
【００４６】
第３の分配用バラン４４３は第２の分配用バラン４４２の一方の出力端に接続され、第４の分配用バラン４４４は第２の分配用バラン４４４の他方の出力端に接続されている。すなわち、第３の分配用バラン４４３には、第２の分配用バラン４４２から第３の原分配信号が供給され、第４の分配用バラン４４４には、第２の分配用バラン４４２から第４の原分配信号が供給される。
【００４７】
第３の分配用バラン４４３は、第３の原分配信号を第３及び第４の原副分配信号に分配する。第３の原副分配信号は第５のハイパスフィルタ４５に供給され、第４の原副分配信号は第６のハイパスフィルタ４６に供給される。第５のハイパスフィルタ４５は、第３の原副分配信号から９０ＭＨｚ以下の周波数成分を除去して、第５のハイパスフィルタされた信号を第３の分配信号として第３の出力端子２１３へ送出する。第６のハイパスフィルタ４６は、第４の原副分配信号から９０ＭＨｚ以下の周波数成分を除去して、第６のハイパスフィルタされた信号を第４の分配信号として第４の出力端子２１４へ送出する。
【００４８】
一方、第４の分配用バラン４４４は、第４の原分配信号を第５及び第６の原副分配信号に分配する。第５の原副分配信号は第８のハイパスフィルタ４８に供給され、第６の原副分配信号は第９のハイパスフィルタ４９に供給される。第８のハイパスフィルタ４８は、第５の原副分配信号から９０ＭＨｚ以下の周波数成分を除去して、第８のハイパスフィルタされた信号を第６の分配信号として第６の出力端子２１６へ送出する。第９のハイパスフィルタ４９は、第６の原副分配信号から９０ＭＨｚ以下の周波数成分を除去して、第９のハイパスフィルタされた信号を第７の分配信号として第７の出力端子２１７へ送出する。
【００４９】
以上のように、本発明の第２の実施形態による分配器２０Ａによれば、ＢＳ／ＣＳ放送用の第１の分配回路３０Ａと地上波ディジタル放送用の第２の分配回路４０Ａとを一体化して、ＢＳ／ＣＳ放送用の第１及び第２の出力端子２１１、２１２と地上波ディジタル放送用の第３及び第４の出力端子３１３、２１４とを交互に配置したことにより、分配器２０Ａに対し第１及び第２のチューナ６、７を直接接続することができる。これにより、従来の分配装置において必要であった、分配器８、９と第２のチューナ７との間を接続するための第１及び第２の同軸ケーブル１３１、１３２が不要となる。これによって、便号損失が軽減されて安定した特性を得ることができる。また、部品点数を削減することができ分配器２０Ａを安価にできる。更に、チューナ６、７と分配器２０Ａとの間の配線を簡素化できる。
【００５０】
また、地上波アナログ出力端子として使用される第６の出力端子２１６を分配器２０Ａのケース２００の端に配置しているので、地上波入力端子である第２の入力端子２０２と地上波ディジタル出力端子である第３及び第４の出力端子２１３、２１４との間の配線距離を容易に短く設計することができる。これにより、第１及び第２のチューナ６、７の第１及び第２の地上ディジタル放送用入力端子１１１、１１２へ、雑音指数の小さいＲＦ信号（第３及び第４の出力信号）を供給することが出来る。この結果、ノイズの影響を極端に受け易い地上波ディジタル放送用受信機の感度を総合的に向上することができる。
【００５１】
以上、本発明について好ましい実施形態によって説明してきたが、本発明は上述した実施形態に限定されず適宜変更可能である。例えば、上記実施形態では、ＢＳ／ＣＳ放送と地上ディジタル放送について記載をしたが、これに限定されるものではなく、その他放送波に適用できることは言うまでもない。また、上記実施形態では、１入力２分配について記載したが、１入力３分配の場合にも適用でき、要は出力信号が交互に出力されるように分配器の出力端子が配置されていればよい。
【図面の簡単な説明】
【００５２】
【図１】本発明の第１の実施形態に係る分配器の概略構成を、第１及び第２のチューナと接続した状態で示す図である。
【図２】図１に示した分配器のブロック図である。
【図３】本発明の第２の実施形態に係る分配器の概略構成を示す図である。
【図４】図３に示した分配器のブロック図である。
【図５】ＴＶ放送受信システムの概略構成を示す図である。
【図６】従来の分配装置の概略構成を、第１及び第２のチューナと接続した状態で示す図である。
【符号の説明】
【００５３】
１    ＢＳ／ＣＳアンテナ（第１のアンテナ）
２    ＵＨＦアンテナ（第１のアンテナ）
６、７    チューナ
２０、２０Ａ    分配器
２００    筐体（ケース）
２０１、２０２    入力端子
２１１〜２１７    出力端子
３０、３０Ａ    第１の分配回路
３１、３５、３６、３７    ハイパスフィルタ    
３２    増幅回路
３４、３４Ａ    分配用バラン
３４１    第１の主分配用バラン
３４２    第１の副分配用バラン
４０、４０Ａ    第２の分配回路
４１、４５、４６、４８、４９    ハイパスフィルタ
４２    増幅回路
４３    ローパスフィルタ
４４１    インピーダンス変換用バラン
４４２、４４３、４４４    分配用バラン
【図１】
2008109620.tif 000003
【図２】
2008109620.tif 000004
【図３】
2008109620.tif 000005
【図４】
2008109620.tif 000006
【図５】
2008109620.tif 000007
【図６】
2008109620.tif 000008